(57)【要約】【課題】アウトセット納めでありながらも、閉鎖状態の引戸パネルの戸先側における明かり等の漏れを防止し、かつ閉鎖側へ移動する引戸パネルを安定的に停止させ得る引戸装置及び引戸構造を提供する。【解決手段】引戸装置１は、建物の壁体２の前面３に沿ってアウトセット納めでスライド自在に吊下支持され、前記壁体に形成された出入開口部６を開閉する引戸パネル１０と、前記出入開口部の戸先側に設けられる戸先側縦枠２１と、を備えており、前記戸先側縦枠は、前記壁体の前面よりも前方へ突出するように前後に幅広く形成され、この前方に突出するように配置される突出部２２に、閉鎖状態の前記引戸パネルの戸先側端部１１を納める凹所２３を設けている。【選択図】図１
2014156721.tif 000002
【特許請求の範囲】
【請求項１】
建物の壁体の前面に沿ってアウトセット納めでスライド自在に吊下支持され、前記壁体に形成された出入開口部を開閉する引戸パネルと、前記出入開口部の戸先側に設けられる戸先側縦枠と、を備えており、
前記戸先側縦枠は、前記壁体の前面よりも前方へ突出するように前後に幅広く形成され、この前方に突出するように配置される突出部に、閉鎖状態の前記引戸パネルの戸先側端部を納める凹所を設けていることを特徴とする引戸装置。
【請求項２】
請求項１において、
前記引戸パネルの戸先側端部近傍の前後面には、前後方向に突出するように把手が設けられており、後面側の把手は、前記閉鎖状態で前記戸先側縦枠との間に手指の挿入が可能な間隔を空けるように設けられていることを特徴とする引戸装置。
【請求項３】
請求項１または２において、
前記出入開口部の戸尻側に設けられる戸尻側縦枠を更に備えており、
該戸尻側縦枠は、その前端面が前記引戸パネルの後面に近接配置されるように前記戸先側縦枠よりも前後寸法が小さく形成されていることを特徴とする引戸装置。
【請求項４】
請求項１乃至３のいずれか１項において、
前記引戸パネルを吊下支持する上レールは、前記出入開口部の上縁に沿うように、かつ前記壁体の前面よりも前方へ突出するように配設される構成とされており、
前記上レールの前方側及び長手方向両端側を囲うように覆い、かつ前記戸先側縦枠の突出部の上端部を受け入れるカバー体を更に備えていることを特徴とする引戸装置。
【請求項５】
建物の壁体に形成された出入開口部を開閉する引戸パネルを、前記壁体の前面に沿ってアウトセット納めでスライド自在に吊下支持させた構造とし、
前記出入開口部の戸先側に設けた戸先側縦枠を、前記壁体の前面よりも前方へ突出させるよう前後に幅広く形成し、該戸先側縦枠の突出部に、閉鎖状態の前記引戸パネルの戸先側端部を納める凹所を設けたことを特徴とする引戸構造。
【発明の詳細な説明】
【技術分野】
【０００１】
本発明は、アウトセット納めで配設される引戸パネルを備えた引戸装置及び引戸構造に関する。
【背景技術】
【０００２】
従来より、建物の壁体に形成された出入開口部を開閉する引戸パネルを、壁体の前面に沿ってアウトセット納めでスライド自在に吊下支持させた構造とした引戸構造が知られている。
例えば、下記特許文献１では、既設の開き戸を取り外した扉枠の外側に引戸を重ねてスライド自在に取り付けた引戸構造が開示されている。また、この引戸構造は、引戸の開口部と対向する側の片側板面の戸先寄りの上端部に、全閉位置で扉枠の戸先側縦枠材に当接する戸当りを付設した構造とされている。
【先行技術文献】
【特許文献】
【０００３】
【特許文献１】特開２００６−３３６３７４号公報
【発明の概要】
【発明が解決しようとする課題】
【０００４】
しかしながら、上記特許文献１に記載されたようなアウトセット納めの引戸構造では、開口部を閉鎖させた状態で引戸の戸先側端部と開口部の戸先側縁部（戸先側縦枠材）との間に隙間が形成され、明かり等が漏れ易くなるという問題があった。また、引戸の片側板面の戸先寄りの上端部に戸当りを付設した構造としているので、該戸当りが損傷し易く閉鎖側へ移動する引戸の規制が安定的になされ難くなることも考えられた。
【０００５】
本発明は、上記実情に鑑みてなされたものであり、アウトセット納めでありながらも、閉鎖状態の引戸パネルの戸先側における明かり等の漏れを防止し、かつ閉鎖側へ移動する引戸パネルを安定的に停止させ得る引戸装置及び引戸構造を提供することを目的としている。
【課題を解決するための手段】
【０００６】
上記目的を達成するために、本発明に係る引戸装置は、建物の壁体の前面に沿ってアウトセット納めでスライド自在に吊下支持され、前記壁体に形成された出入開口部を開閉する引戸パネルと、前記出入開口部の戸先側に設けられる戸先側縦枠と、を備えており、前記戸先側縦枠は、前記壁体の前面よりも前方へ突出するように前後に幅広く形成され、この前方に突出するように配置される突出部に、閉鎖状態の前記引戸パネルの戸先側端部を納める凹所を設けていることを特徴とする。
【０００７】
本発明においては、前記引戸パネルの戸先側端部近傍の前後面に、前後方向に突出するように把手を設け、後面側の把手を、前記閉鎖状態で前記戸先側縦枠との間に手指の挿入が可能な間隔を空けるように設けてもよい。
また、本発明においては、前記出入開口部の戸尻側に設けられる戸尻側縦枠を更に備えたものとし、該戸尻側縦枠を、その前端面が前記引戸パネルの後面に近接配置されるように前記戸先側縦枠よりも前後寸法を小さく形成してもよい。
また、本発明においては、前記引戸パネルを吊下支持する上レールを、前記出入開口部の上縁に沿うように、かつ前記壁体の前面よりも前方へ突出するように配設される構成とし、前記上レールの前方側及び長手方向両端側を囲うように覆い、かつ前記戸先側縦枠の突出部の上端部を受け入れるカバー体を更に備えたものとしてもよい。
【０００８】
また、上記目的を達成するために、本発明に係る引戸構造は、建物の壁体に形成された出入開口部を開閉する引戸パネルを、前記壁体の前面に沿ってアウトセット納めでスライド自在に吊下支持させた構造とし、前記出入開口部の戸先側に設けた戸先側縦枠を、前記壁体の前面よりも前方へ突出させるよう前後に幅広く形成し、該戸先側縦枠の突出部に、閉鎖状態の前記引戸パネルの戸先側端部を納める凹所を設けたことを特徴とする。
【発明の効果】
【０００９】
本発明に係る引戸装置及び引戸構造は、上述のような構成としたことで、アウトセット納めでありながらも、閉鎖状態の引戸パネルの戸先側における明かり等の漏れを防止し、かつ閉鎖側へ移動する引戸パネルを安定的に停止させることができる。
【図面の簡単な説明】
【００１０】
【図１】（ａ）、（ｂ）は、いずれも本発明の一実施形態に係る引戸装置及び引戸構造の一例を模式的に示し、（ａ）は、図２（ａ）におけるＸ１−Ｘ１線矢視に対応させた一部破断概略横断面図、（ｂ）は、図２（ｂ）におけるＸ２−Ｘ２線矢視に対応させた一部破断概略横断面図である。
【図２】（ａ）、（ｂ）は、いずれも同引戸装置を施工した状態及び同引戸構造を模式的に示す一部を省略した一部破断概略正面図である。
【図３】（ａ）は、図２（ａ）におけるＹ−Ｙ線矢視に対応させた一部破断概略縦断面図、（ｂ）は、図２（ｂ）におけるＸ３−Ｘ３線矢視に対応させた一部破断概略横断面図である。
【発明を実施するための形態】
【００１１】
以下に本発明の実施の形態について、図面に基づいて説明する。
図１〜図３は、本実施形態に係る引戸装置及び引戸構造の一例を模式的に示す図である。
なお、以下の実施形態では、図１（ａ）に示すＶ方向から引戸装置に対面した状態を基準として、手前側を前方、逆側を後方として、その方向等を説明する。
【００１２】
本実施形態に係る引戸装置１は、図１及び図２に示すように、住居等の建物の壁体（内壁）２の前面３に沿ってアウトセット納めでスライド自在に吊下支持される引戸パネル１０と、戸先側縦枠２１と、を備えている。また、引戸装置１は、図３（ａ）に示すように、引戸パネル１を吊下支持する上レール２６を備えている。また、本実施形態では、引戸装置１は、壁体２に設けられた開口部５に配設され、戸先側縦枠２１を含む開口枠２０を備えている。本実施形態では、この開口枠２０によって、壁体２に、引戸パネル１０によって開閉される出入開口部６を形成している。
本実施形態に係る引戸構造は、この出入開口部６を開閉する引戸パネル１０を、壁体２の前面３に沿ってアウトセット納めでスライド自在に吊下支持させた構造としている。
【００１３】
開口部５は、図２に示すように、正面視して略矩形状とされており、その上側が、横桟やまぐさ等の横架材または該横架材の下面側に固定された飼木（スペーサー材）等からなる上枠下地によって区画されている。また、開口部５は、その開口幅（戸幅）方向両側が、間柱等の柱材または該柱材の開口幅方向内側に固定された飼木（スペーサー材）等からなる左右両側の縦枠下地によって区画されている。また、開口部５は、その下側が、床材または床下地によって区画されている。
この開口部５の左右両側に連なる壁体２の壁厚は、互いに略同厚さとされ、左右両側の壁体２の前面３及び後面４は、それぞれ互いに略同一平面状とされている。引戸パネル１０は、この開口部５の左右両側に連なる壁体２の一方側（図示右側）の前面３に沿ってアウトセット納めでスライド自在に吊下支持される構成とされている。つまり、単一の引戸パネル１０を、片引きでアウトセット納めとした構造としている。
【００１４】
開口枠２０は、図２に示すように、上枠２５と、この上枠２５の長手方向両側に配設される戸先側縦枠２１及び戸尻側縦枠２４と、を備えている。
上枠２５は、開口部５の開口幅方向に沿って長尺の略帯板状とされている。この上枠２５は、出入開口部６の天側（上側）に設けられ、その下面が出入開口部６の天面を構成する。また、上枠２５は、その見込み寸法（前後寸法、壁体２の壁厚方向に沿う寸法）が、図３（ａ）に示すように、壁体２の壁厚寸法よりも僅かに大きく形成されており、見込み方向両端部が壁体２の前面３及び後面４よりも僅かに突出するように配設される構成とされている。
【００１５】
戸先側縦枠２１及び戸尻側縦枠２４は、開口部５の開口高に応じた長さ寸法とされ、略帯板状とされている。
戸尻側縦枠２４は、出入開口部６の戸尻側（図示右側）に設けられ、その出入開口部６側に向く面が出入開口部６の戸尻側の内側面を構成する。この戸尻側縦枠２４は、図１に示すように、その前端面２４ａが引戸パネル１０の後面１５に近接配置されるように、戸先側縦枠２１よりも見込み寸法が小さく形成されており、図例では、上枠２５の見込み寸法と概ね同寸法とされている。この戸尻側縦枠２４は、見込み方向両端部が壁体２の前面３及び後面４よりも僅かに突出するように配設される構成とされている。なお、この戸尻側縦枠２４の前端部に、引戸パネル１０の後面１５に摺るように接する隙間遮蔽部材（モヘア部材）を設けるようにしてもよい。
【００１６】
戸先側縦枠２１は、出入開口部６の戸先側（図示左側）に設けられ、その出入開口部６側に向く面が出入開口部６の戸先側の内側面を構成する。この戸先側縦枠２１は、壁体２の前面３よりも前方へ突出するように前後に幅広く形成されている。
また、戸先側縦枠２１は、この前方に突出するように配置される突出部２２に、閉鎖状態（図１（ａ）及び図２（ａ）に示す状態）の引戸パネル１０の戸先側端部１１を納める凹所２３を設けた構成としている。本実施形態に係る引戸構造は、壁体２の前面３よりも前方へ突出させるよう前後に幅広く形成した戸先側縦枠２１の突出部２２に、閉鎖状態の引戸パネル１０の戸先側端部１１を納める凹所２３を設けた構造としている。
【００１７】
また、戸先側縦枠２１は、その後端部が戸尻側縦枠２４と同様、壁体２の後面４よりも僅かに突出し、その前端側の突出部２２が壁体２の前面３よりも後端部側と比べて大きく突出するように配設される構成とされている。
この戸先側縦枠２１の突出部２２は、閉鎖状態の引戸パネル１０の閉鎖側への更なる移動を阻止するストッパー部として機能する。
また、本実施形態では、図１及び図３に示すように、凹所２３を、引戸パネル１０側に開口し、引戸パネル１０の戸先側端部１１を受け入れる戸じゃくり溝状の凹溝２３としている。この凹溝２３は、戸先側縦枠２１の長手方向に沿って設けられている。図例では、この凹溝２３を、戸先側縦枠２１の全長に亘って設けた例を示している。
【００１８】
この戸先側縦枠２１は、その突出部２２の前端面が引戸パネル１０の前面１３よりも僅かに前方に位置するように配設される。
この戸先側縦枠２１の突出部２２の壁体２の前面３からの突出寸法（突出部２２の見込み寸法）は、引戸パネル１０の戸先側端部１１を凹所（凹溝）２３に納めることが可能なように、引戸パネル１０の戸厚寸法に応じて適宜、設定するようにしてもよい。また、この突出部２２の見込み寸法は、引戸パネル１０の後面１５と壁体２の前面３（本実施形態では、戸尻側縦枠２４の前端面２４ａ）とのクリアランスを加味して適宜、設定するようにしてもよい。つまり、突出部２２の見込み寸法は、上記クリアランスに引戸パネル１０の戸厚寸法を足し合わせた寸法よりも僅かに大きい寸法としてもよい。
これら戸先側縦枠２１及び戸尻側縦枠２４と上枠２５とは、例えば、上枠２５の長手方向の各端面に、各縦枠２１，２４の上端部内側面を当接させ、各縦枠２１，２４の外側面側から止具を上枠２５に捩じ込む（または打ち込む）ことで枠組みするようにしてもよい。
【００１９】
上レール２６は、図２（ｂ）及び図３（ａ）に示すように、出入開口部６の上縁に沿うように、かつ壁体２の前面３よりも前方へ突出するように配設される構成とされている。
この上レール２６は、引戸パネル１０の移動軌跡に対応させて、出入開口部６の開口幅方向に加え、引戸パネル１０がアウトセット納めで納められる壁体２の前面３の前方側に至るように戸幅方向に延びるように設けられる（図２参照）。また、本実施形態では、この上レール２６を、図３（ａ）に示すように、その下面が上枠２５の下面よりも上側に位置するように配設した構造としている。また、上レール２６を、上枠２５の前端面よりも前方に位置するように配設した構造としている。
【００２０】
また、本実施形態では、壁体２の前面３に沿って上レール２６の下地材としての下地桟７を固定し、この下地桟７に上レール２６を固定した構造としている。本実施形態では、下地桟７の下面側に上レール２６を固定した構造としている。また、下地桟７の前面を、上レール２６の前面よりも僅かに前方に位置させ、かつ戸先側縦枠２１（突出部２２）の前端面と略同一平面状とした構造としている。
この下地桟７は、上レール２６の概ね全長に亘る長さとされたものとしてもよく、上レール２６の長手方向に間隔を空けて複数設けられたものとしてもよい。なお、下地桟７は、壁体２（壁下地）に固定するようにしてもよく、天井（天井下地）に固定するようにしてもよい。
【００２１】
また、上レール２６は、上板部及び両側板部によってガイド溝を区画し、縦断面形状が、下方に向けて開口する略コ字状（略Ｕ字状または略Ｃ字状）とされている。また、上レール２６は、両側板部の下端縁部に、互いに向き合う方向に突出する案内片をそれぞれに設けた構成とされている。これら両案内片によって、後記する引戸パネル１０のランナー部材１７，１７のローラー等が当該上レール２６の長手方向に沿って転動自在に支持される。このような構成により、上レール２６は、当該上レール２６に対して引戸パネル１０を戸幅方向に沿ってスライド自在に吊下支持する構成とされている。なお、この上レール２６に、閉鎖状態の引戸パネル１０の閉鎖側への更なる移動を阻止するストッパー部を設けるようにしてもよい。また、上レール２６に、全開状態の引戸パネル１０の開放側への更なる移動を阻止するストッパー部を設けるようにしてもよい。また、上レール２６に、閉鎖状態及び全開状態の引戸パネル１０を捕捉するキャッチ部を設けるようにしてもよい。
【００２２】
また、本実施形態では、引戸装置１は、この上レール２６の前方側及び長手方向両端側を囲うように覆い、かつ戸先側縦枠２１の突出部２２の上端部２２ａを受け入れるカバー体２７を備えている。
このカバー体２７は、本実施形態では、上記した上レール２６を固定する下地桟７の前方側及び長手方向両端側（複数の場合は、戸幅方向最外方側の下地桟のそれぞれの長手方向外方側端面側）を囲うように覆う構成とされている。
また、本実施形態では、このカバー体２７の下端面を、上枠２５の下面と略同一平面状とした構造としている。
【００２３】
このカバー体２７は、戸幅方向に延びる平板状の前側カバー部２８と、この前側カバー部２８の長手方向両端側に設けられた端部カバー部２９，２９と、を備えている。これら両側の端部カバー部２９，２９の後端面は、壁体２の前面３に当接または近接される（図３（ｂ）参照）。
また、図３（ｂ）に示すように、前側カバー部２８の後面は、戸先側縦枠２１の突出部２２の上端部２２ａの前端面に当接または近接される。また、戸先側の端部カバー部２９の内側面は、戸先側縦枠２１の突出部２２の上端部２２ａの反引戸パネル側の側面（外側面）に当接または近接される。
【００２４】
このカバー体２７の前側カバー部２８と両側の端部カバー部２９，２９とは、一体的に形成されたものとしてもよい。この場合は、前側カバー部２８と両側の端部カバー部２９，２９との境界部位の裏面側に折曲溝等を設けた構成としてもよい。または、別体とされた前側カバー部２８と両側の端部カバー部２９，２９とを適宜の止具や接着剤等で接合し、カバー体２７を構成するようにしてもよい。
また、このカバー体２７は、下地桟７及び上レール２６の両方または一方に適宜の止具や接着剤等で固定するようにしてもよい。
【００２５】
また、図２では、カバー体２７の上側に垂壁を設けた例を図示しているが、カバー体２７の上端面を、天井に近接または当接させるようにしてもよい。つまりは、引戸パネル１０を、床面近傍から天井近傍に概ね至るような高さ寸法としてもよい。
また、上レール２６を固定する態様としては、上記のような態様に限られない。例えば、略Ｌ字型等のブラケットの一片部を壁体に固定し、その他片部に上レール２６を固定する態様としてもよい。または、上枠２５を、戸先側縦枠２１と概ね同様、壁体２の前面３よりも前方へ突出するように幅広に形成し、この上枠２５の突出部位に上レール２６を固定する態様としてもよい。この場合は、上枠２５を天井下地等に沿わせるように固定し、突出部位の下面側に上レール２６を受け入れる溝部を設けるようにしてもよい。さらには、このような下地桟７やブラケット、上枠２５等を介して上レール２６を固定する態様に代えて、上レール２６を直接的に壁体２や、天井（天井下地）に固定する態様としてもよい。これらの場合は、カバー体２７の上下寸法を、適宜、変形するようにしてもよい。
【００２６】
引戸パネル１０は、略矩形平板状とされている。この引戸パネル１０の高さ寸法は、図３（ａ）に示すように、床面近傍から上レール２６近傍に至るまでの寸法とされている。本実施形態では、引戸パネル１０の上端面を、上枠２５の下面及びカバー体２７の下端面よりも上方に位置させた構造としている。このような構造とすることで、閉鎖状態の引戸パネル１０の上端側における明かり等の漏れを効果的に防止することができる。なお、引戸パネル１０の上端面を、上枠２５の下面及びカバー体２７の下端面のいずれか一方よりも上方に位置させた構造としてもよい。このような構造としても概ね同様の効果を奏する。
【００２７】
また、引戸パネル１０の戸幅寸法は、出入開口部６の閉鎖が可能なように、出入開口部６の開口幅に応じて適宜、設定するようにしてもよい。本実施形態では、引戸パネル１０の戸幅寸法を、図１に示すように、引戸パネル１０の戸先側端部１１を戸先側縦枠２１の凹溝２３に納め、出入開口部６を閉鎖した状態で、引戸パネル１０の戸尻側端部が戸尻側縦枠２４と戸厚方向で重合するような寸法としている。図例では、閉鎖状態の引戸パネル１０の戸尻側端面１２と戸尻側縦枠２４の反出入開口部側の側面（外側面）とを略同一平面状とした例を示している。
なお、引戸パネル１０の戸厚寸法は、例えば、２０ｍｍ〜４０ｍｍ程度としてもよい。
【００２８】
この引戸パネル１０の上端部には、上記した上レール２６に支持されるランナー部材１７，１７が連結固定されている。図例では、引戸パネル１０の上端部の戸幅方向両端部のそれぞれにランナー部材１７，１７を設けた例を示している。このようなランナー部材１７，１７としては、水平軸廻りに回転し、上レール２６の両案内片上を転動するローラーを備えたものとしてもよい。
このようにランナー部材１７，１７が上レール２６に支持された引戸パネル１０は、出入開口部６の前方側及びその一側方の壁体２の前面３の前方側に沿って戸幅方向にスライド自在とされ、出入開口部６を開閉する構成とされている。
なお、上レール２６及びランナー部材１７，１７は、上記のような態様に限られず、引戸パネル１０を戸幅方向にスライド自在に吊下支持可能な態様とすればよく、その他の態様としてもよい。例えば、前方に開口した上レール２６等としてもよく、その場合は、上レール２６に応じてランナー部材１７を適宜、変形するようにしてもよい。
【００２９】
また、本実施形態では、図１に示すように、引戸パネル１０の戸先側端部１１近傍の前面１３及び後面１５に、前後方向に突出するように把手１４，１６を設けた構成としている。
これら把手１４，１６は、略同様の構成とされている。これら把手１４，１６は、引戸パネル１０の前面１３及び後面１５にそれぞれ固定された台座を備えた構成とされている。また、これら把手１４，１６は、各台座の上下端部から戸厚方向に突出する上下両側の基部に上下端部が連結され、上下方向に延びる棒状（バー状）とされている。
また、前方に突出する前面１３側の前側把手１４と後方に突出する後面１５側の後側把手１６とは、引戸パネル１０の戸幅方向で略一致するように設けられている。
【００３０】
前側把手１４は、図１に示すように、戸先側縦枠２１の突出部２２の前端面よりも前方に位置するように設けられている。
後側把手１６は、図１（ａ）に示すように、閉鎖状態で戸先側縦枠２１との間に手指の挿入が可能な間隔を空けるように設けられている。また、後側把手１６は、図１（ｂ）に示すように、全開状態で戸尻側縦枠２４との間に手指の挿入が可能な間隔を空けるように設けられている。つまり、引戸パネル１０は、全開状態で、前後の把手１４，１６を含む戸先側の部位が、戸幅方向で戸尻側縦枠２４の内側面よりも出入開口部６側に突出するように配設される構成とされている。
【００３１】
なお、この引戸パネル１０の把手１４，１６等に、施解錠可能な錠機構を設けるようにしてもよい。このような錠機構としては、鍵や摘み部等の操作によって引戸パネル１０の戸先側端面から戸幅方向に出没される鎌状のロック片を備えた鎌錠としてもよい。この場合は、戸先側縦枠２１の突出部２２の内側面（凹溝２３の溝底）において露出する錠受けを、戸先側縦枠２１の突出部２２に埋め込むように設けた構成としてもよい。
【００３２】
また、引戸装置１は、図１及び図３（ａ）に示すように、引戸パネル１０の下端側をガイドする下端ガイド部材３０を備えている。本実施形態では、引戸パネル１０の下端部に、下向きに開口する凹溝１８を戸幅方向に沿って設け、下端ガイド部材３０を、凹溝１８に挿入（遊挿）されるガイドピン３１を備えた構成としている。
この下端ガイド部材３０は、図１に示すように、引戸パネル１０の移動軌跡の直下に位置するように複数箇所に設けられている。この下端ガイド部材３０は、開閉に伴い移動する引戸パネル１０の直下に少なくとも一つが存在するように設けるようにしてもよい。また、本実施形態では、この下端ガイド部材３０を、磁石を設けたガイドピン３１を上下方向に出没自在に収容し、床に埋め込まれるように配設されるマグネットガイド３０としている。引戸パネル１０の凹溝１８には、このマグネットガイド３０に対応させて磁石や磁性体等が設けられている。
【００３３】
なお、図２では、マグネットガイド３０の図示を省略している。
また、引戸パネル１０の下端側をガイドする下端ガイド部材３０としては、上記のようなマグネットガイド３０に限られない。例えば、上下方向に出没不能とされたガイド部（ガイドピン）を備えた固定ガイド部材としてもよい。この場合は、この固定ガイド部材を、例えば、戸尻側縦枠２４の前方に位置するように床上に配設するようにしてもよい。
【００３４】
また、引戸装置１は、全開状態の引戸パネル１０の開放側への更なる移動を阻止するストッパー部３２を備えている。本実施形態では、このストッパー部３２を、全開状態の引戸パネル１０の戸尻側端面１２の下端部に当接される下端ストッパー３２としている。この下端ストッパー３２は、床から上方に突出するように配設され、床に固定される。
なお、上記したように上レール２６にストッパー部を設けた場合には、このような下端ストッパー３２を設けないようにしてもよい。
【００３５】
本実施形態に係る引戸装置１及び引戸構造は、上述のような構成としたことで、アウトセット納めでありながらも、閉鎖状態の引戸パネル１０の戸先側における明かり等の漏れを防止し、かつ閉鎖側へ移動する引戸パネル１０を安定的に停止させることができる。
つまり、戸先側縦枠２１を、壁体２の前面３よりも前方へ突出するように前後に幅広く形成し、この前方に突出するように配置される突出部２２に、閉鎖状態の引戸パネル１０の戸先側端部１１を納める凹所（凹溝）２３を設けている。従って、アウトセット納めでありながらも、戸先側縦枠２１の突出部２２を、引戸パネル１０の戸先側端部１１の戸当りとして機能させることができる。また、戸先側縦枠２１自体を前後に幅広くし、突出部２２を設けているので、この突出部２２に引戸パネル１０の戸先側端部１１の概ね全体が当接することとなり、損傷等が生じ難く、閉鎖側へ移動する引戸パネル１０を安定的に停止させることができる。
【００３６】
また、この戸先側縦枠２１の突出部２２の凹所（凹溝）２３に、閉鎖状態の引戸パネル１０の戸先側端部１１を納めることができ、閉鎖状態の引戸パネル１０の戸先側における明かり等の漏れを防止することができる。
また、例えば、閉鎖状態の引戸パネルの戸先側における明かり等の漏れを防止すべく、閉鎖状態の引戸パネルの戸先側端部が出入開口部の戸先側に連なる壁体と十分に戸厚方向に重合するように引戸パネルの戸幅寸法を大きくすることも考えられる。本実施形態によれば、上記のように閉鎖状態の引戸パネル１０の戸先側における明かり等の漏れを防止可能でありながらも、引戸パネル１０の戸幅寸法を効果的に小さくすることもできる。
また、例えば、上記のように錠機構を引戸パネル１０に設けたような場合には、錠受け用の専用部材を別途、戸先側に設けたり、引戸パネル１０の厚さ方向に出没する特殊構造の錠機構を採用したりすることが考えられる。本実施形態によれば、引戸パネル１０の戸先側端部１１に埋め込むように設けられる上記した一般的な鎌錠のような錠機構を採用することができる。また、戸先側縦枠２１の突出部２２に、この錠機構に応じた錠受け部を設けることができ、汎用性を向上させることができる。
【００３７】
また、本実施形態では、戸先側縦枠２１の突出部２２の凹所２３を、引戸パネル１０の戸先側端部１１を受け入れる凹溝２３としている。従って、例えば、手前側を切り欠いたような段状の凹所や、後側を切り欠いたような段状の凹所（換言すれば、前端部に突片部を設けた態様）等とした場合と比べて、閉鎖状態の引戸パネル１０の戸先側における明かり等の漏れをより確実に防止することができる。
なお、このような凹溝２３とした態様に代えて、戸先側縦枠２１の手前側を切り欠いたような段状の凹所２３や、後側を切り欠いたような段状の凹所２３としてもよい。
【００３８】
また、本実施形態では、引戸パネル１０の戸先側端部１１近傍の前後面１３，１５に、前後方向に突出するように把手１４，１６を設けている。従って、例えば、掘り込み状の引手を設けたようなものと比べて、開閉操作性を向上させることができる。
また、後側把手１６を、閉鎖状態で戸先側縦枠２１との間に手指の挿入が可能な間隔を空けるように設けている。従って、閉鎖状態の引戸パネル１０を、その後方側から開放させる際にもスムーズな操作が可能となる。
また、後側把手１６を、全開状態で戸尻側縦枠２４との間に手指の挿入が可能な間隔を空けるように設けている。従って、全開状態の引戸パネル１０を、その後方側から閉鎖させる際にもスムーズな操作が可能となる。なお、このような前側把手１４及び後側把手１６の両方または一方を設けないようにしてもよい。この場合は、このような把手に代えて、掘り込み状の引手を設けるようにしてもよい。また、この場合は、全開状態で出入開口部６の概ね全体が開放される構成としてもよい。
【００３９】
また、本実施形態では、前端面２４ａが引戸パネル１０の後面１５に近接配置されるように戸先側縦枠２１よりも前後寸法が小さく形成された戸尻側縦枠２４を設けている。従って、このような戸尻側縦枠２４を設けない場合と比べて、閉鎖状態の引戸パネル１０の戸尻側における明かり等の漏れを抑制することができる。なお、このような戸尻側縦枠２４を設けないようにしてもよい。また、上枠２５も設けないようにしてもよい。この場合は、無枠状の壁仕上面を出入開口部６の戸尻側の内側面や天面として把握するようにしてもよい。
【００４０】
また、本実施形態では、上レール２６の前方側及び長手方向両端側を囲うように覆い、かつ戸先側縦枠２１の突出部２２の上端部２２ａを受け入れるカバー体２７を備えている。従って、上レール２６のみならず、壁体２の前面３から突出する戸先側縦枠２１の突出部２２の上端部２２ａを見栄え良く納めることができる。なお、このようなカバー体２７を設けないようにしてもよい。
【符号の説明】
【００４１】
１        引戸装置
１０      引戸パネル
１１      戸先側端部
１３      前面
１４      前側把手
１５      後面
１６      後側把手（後面側の把手）
２１      戸先側縦枠
２２      突出部
２２ａ    上端部
２３      凹溝（凹所）
２４      戸尻側縦枠
２４ａ    前端面
２６      上レール
２７      カバー体
２        壁体
３        前面
６        出入開口部
【図１】
2014156721.tif 000003
【図２】
2014156721.tif 000004
【図３】
2014156721.tif 000005